(57)【要約】【課題】マットの変形を小さく抑制するとともに、マットの部分的なへたりを抑制し、長期に亘って快適な寝心地を維持しうる折畳みベッドを提供する。【解決手段】主として使用者の上半身側を支持する上半身側フレーム４と、主として使用者の下半身側を支持する下半身側フレーム５とを含むベッドフレーム２を具え、ベッド側面視において、ベッドフレーム２が略水平となる水平状態と、上半身側フレーム４と下半身側フレーム５とが逆Ｖ字状に折り曲げられた折畳み状態とに変形可能な折畳みベッド１であって、ベッドフレーム２には、上半身側フレーム４と下半身側フレーム５とに連続して跨るシームレスマット２０が配されている。【選択図】図１
0003191046.tif 000002
【実用新案登録請求の範囲】
【請求項１】
主として使用者の上半身側を支持する上半身側フレームと、主として使用者の下半身側を支持する下半身側フレームとを含むベッドフレームを具え、
ベッド側面視において、前記ベッドフレームが略水平となる水平状態と、前記上半身側フレームと前記下半身側フレームとが逆Ｖ字状に折り曲げられた折畳み状態とに変形可能な折畳みベッドであって、
前記ベッドフレームには、前記上半身側フレームと前記下半身側フレームとに連続して跨るシームレスマットが配されていることを特徴とする折畳みベッド。
【請求項２】
前記ベッドフレームから前記シームレスマットとが離れるのを防ぐ取り外し可能な固定手段を含み、
前記固定手段は、前記上半身側フレームと前記シームレスマットとを固定する第１固定手段と、前記下半身側フレームと前記シームレスマットとを固定する第２固定手段とを含む請求項１に記載の折畳みベッド。
【請求項３】
前記上半身側フレームは、ベッドの幅方向に沿った軸心回りで傾動し、上向きに傾くことにより、前記使用者の上半身を斜めに起き上がらせるリクライニング機構を含み、
前記リクライニング機構は、先行して上向きに傾きかつ前記使用者の頭部を支持する第１傾動部と、前記第１傾動部から遅れて上向きに傾きかつ前記使用者の背中を支持する第２傾動部とを含み、
前記第２傾動部には、前記シームレスマットが配されるとともに、前記第１傾動部には、頭部用マットが配され、
前記頭部用マットと前記シームレスマットとの間には、互いの接触を防ぐための隙間が設けられている請求項１又は２に記載の折畳みベッド。
【請求項４】
前記第１傾動部は、前記第１傾動部と前記頭部用マットとのずれを抑制する第１保持部が設けられ、
前記第２傾動部は、前記第２傾動部と前記シームレスマットとのずれを抑制する第２保持部が設けられる請求項３に記載の折畳みベッド。
【請求項５】
前記ベッドフレームには、前記頭部用マットの少なくとも上面と前記シームレスマットの少なくとも上面とをともに覆うカバーが配されている請求項３又は４に記載の折畳みベッド。
【請求項６】
前記カバーは、前記各マットとともに前記ベッドフレームの少なくとも一部を覆う袋状に形成されている請求項５に記載の折畳みベッド。
【請求項７】
前記カバーは、伸縮素材から形成されている請求項５又は６に記載の折畳みベッド。
【考案の詳細な説明】
【技術分野】
【０００１】
本考案は、寝心地の良い折畳みベッドに関する。
【背景技術】
【０００２】
下記特許文献１には、主として使用者の上半身側を支持する上半身側フレームと、主として使用者の下半身側を支持する下半身側フレームとが折畳み可能に連結された折畳みベッドが提案されている。
【０００３】
この折畳みベッドは、使用者の身体が載置されるマットを具えている。マットは、上半身側フレームに配された上半身用マットと、下半身側フレームに配された下半身用マットに分けられている。
【先行技術文献】
【特許文献】
【０００４】
【特許文献１】特開２００５−１２３３５１号公報
【考案の概要】
【考案が解決しようとする課題】
【０００５】
上記の折畳みベッドは、ベッドの長さ方向の中間部でマットが分断されているため、使用者の腰付近が、ベッドの長さ方向の中間部に位置するマットの縁に位置する傾向があった。マットの縁は、他の部分に比べて変形し易いので、このようなベッドは、寝心地に関して改善の余地があった。
【０００６】
また、マットの縁は、他の部分に比べてへたりやすい。従って、マットの縁には、圧縮塑性変形（へたり）が早期に生じる傾向があった。マットの縁部にへたりが生じた場合、マットの弾性が部分的に低下するため、寝心地がさらに悪化するという問題もあった。
【０００７】
本考案は、以上のような実状に鑑み案出されたもので、長期に亘って快適な寝心地を実現しうる折畳みベッドを提供することを主たる目的とする。
【課題を解決するための手段】
【０００８】
本考案は、主として使用者の上半身側を支持する上半身側フレームと、主として使用者の下半身側を支持する下半身側フレームとを含むベッドフレームを具え、ベッド側面視において、前記ベッドフレームが略水平となる水平状態と、前記上半身側フレームと前記下半身側フレームとが逆Ｖ字状に折り曲げられた折畳み状態とに変形可能な折畳みベッドであって、前記ベッドフレームには、前記上半身側フレームと前記下半身側フレームとに連続して跨るシームレスマットが配されていることを特徴とする。
【０００９】
本考案に係る前記折畳みベッドは、前記ベッドフレームから前記シームレスマットとが離れるのを防ぐ取り外し可能な固定手段を含み、前記固定手段は、前記上半身側フレームと前記シームレスマットとを固定する第１固定手段と、前記下半身側フレームと前記シームレスマットとを固定する第２固定手段とを含むのが望ましい。
【００１０】
本考案に係る前記折畳みベッドは、前記上半身側フレームが、ベッドの幅方向に沿った軸心回りで傾動し、上向きに傾くことにより、前記使用者の上半身を斜めに起き上がらせるリクライニング機構を含み、前記リクライニング機構は、先行して上向きに傾きかつ前記使用者の頭部を支持する第１傾動部と、前記第１傾動部から遅れて上向きに傾きかつ前記使用者の背中を支持する第２傾動部とを含み、前記第２傾動部には、前記シームレスマットが配されるとともに、前記第１傾動部には、頭部用マットが配され、前記頭部用マットと前記シームレスマットとの間には、互いの接触を防ぐための隙間が設けられているのが望ましい。
【００１１】
本考案に係る前記折畳みベッドは、前記第１傾動部が、前記第１傾動部と前記頭部用マットとのずれを抑制する第１保持部が設けられ、前記第２傾動部は、前記第２傾動部と前記シームレスマットとのずれを抑制する第２保持部が設けられるのが望ましい。
【００１２】
本考案に係る前記折畳みベッドは、前記ベッドフレームには、前記頭部用マットの少なくとも上面と前記シームレスマットの少なくとも上面とをともに覆うカバーが配されているのが望ましい。
【００１３】
本考案に係る前記折畳みベッドは、前記カバーが、前記各マットとともに前記ベッドフレームの少なくとも一部を覆う袋状に形成されているのが望ましい。
【００１４】
本考案に係る前記折畳みベッドは、前記カバーが、伸縮素材から形成されているのが望ましい。
【考案の効果】
【００１５】
本考案の折畳みベッドのベッドフレームには、上半身側フレームと下半身側フレームとに連続して跨るシームレスマットが配されている。
【００１６】
シームレスマットは、ベッドの長さ方向の中間部にマットの縁が位置しないので、快適な寝心地が得られる。また、ベッドの長さ方向の中間部でへたりが早期に生じるおそれもない。さらに、シームレスマットは、使用者の荷重をマット全体に分散できる。このため、シームレスマットは、荷重による部分的な変形が小さく抑制される。
【図面の簡単な説明】
【００１７】
【図１】本考案の実施形態の折畳みベッドの斜視図である。
【図２】図１の折畳みベッドの側面図である。
【図３】折畳み状態の折畳みベッドの連結フレーム付近の拡大側面図である。
【図４】ベッドフレームの上半身側支持部付近の拡大平面図である。
【図５】ベッドフレームの上半身側支持部付近の拡大側面図である。
【図６】折畳みベッドの第１傾動部付近の斜視図である。
【図７】図２の第１傾動部付近の拡大断面図である。
【考案を実施するための形態】
【００１８】
以下、本考案の実施の一形態が図面に基づき説明される。
図１は、本実施形態の折畳みベッド（以下、単に「ベッド」と記載される）１の斜視図であり、図２は、その側面図である。
【００１９】
図１に示されるように、ベッド１は、例えば、金属材料からなるベッドフレーム２と、ベッドフレーム２に配された弾性材料からなるマット３とを具えている。以下、本実施形態では、ベッド１の方向について、長さはＸ、幅はＹ、高さはＺでそれぞれ表される方向を意味しているものとする。
【００２０】
ベッドフレーム２は、主として使用者の上半身側を支持する上半身側フレーム４と、主として使用者の下半身側を支持する下半身側フレーム５と、これらを折畳み可能に連結する連結フレーム６とを含む周知の折畳み機構を具えている。
【００２１】
上半身側フレーム４及び下半身側フレーム５は、例えば、互いに等しい長さを有する。これにより、連結フレーム６は、ベッド１の長さ方向の略中間部に位置している。
【００２２】
上半身側フレーム４及び下半身側フレーム５のそれぞれには、例えば、その幅方向の両側に、脚部７が設けられている。各脚部７には、例えば、車輪が設けられている。このような脚部７は、ベッド１を容易に移動させることができる。各脚部７は、ベッド１が折畳まれた状態でもベッド１を支持しうるように、フレーム４、５に、回動自在にピン結合されている。
【００２３】
本実施形態の連結フレーム６は、上半身側フレーム４及び下半身側フレーム５に、幅方向にのびるピンで回動自在に連結されている。連結フレーム６は、高さ方向にのびる脚部８を含んでいる。脚部８は、ベッド１が、水平とされた状態で床面に当接することができる。
【００２４】
以上のようなベッド１は、ベッドフレーム２が略水平となる水平状態と、図３に示されるように、上半身側フレーム４と下半身側フレーム５とが略逆Ｖ字状に折り曲げられた折畳み状態とに変形可能である。周知のように、折畳み力を軽減するために、バネ等の弾発部材が上半身側フレーム４と脚部８との間に架け渡されても良い。
【００２５】
好ましい実施形態として、本実施形態のベッド１は、リクライニング機構を具えている。図４には、このリクライニング機構を説明するための上半身側フレーム４付近の拡大平面図、図５には、その拡大側面図が示されている。本実施形態のリクライニング機構は、上半身側フレーム４として、平面視略矩形の基枠９と、傾動部１０と、傾動部１０を傾動させるための駆動手段１１とを含んでいる。
【００２６】
基枠９は、脚部７、８で水平状態に保持される。傾動部１０は、基枠９の上に設けられており、本実施形態では、頭部側の第１傾動部１０ａと、それにリンク１２を介して傾動可能に連結された上半身側の第２傾動部１０ｂとを含んでいる。第２傾動部１０ｂの下半身側の端部は、ピン１３を介して基枠９側に傾動可能に連結されている。
【００２７】
第１傾動部１０ａ及び第２傾動部１０ｂは、例えば、図７に示されるように、例えば、ウレタンフォームやポリエチレンフォームなどを使用したスポンジ材ととともに、カバーで覆われている。
【００２８】
駆動手段１１は、例えば、電動シリンダーであり、上半身側フレーム４の下方に配置されている。駆動手段１１の一端は、上半身側フレーム４にピン１４で傾動自在に連結されており、駆動手段１１の伸縮するロッド１５は、アーム１６に連結されている。
【００２９】
アーム１６の一端は、駆動手段１１のロッド１５に連結されるとともに、他端が、第１傾動部１０ａに連結されている。この実施形態では、アーム１６は、第１傾動部１０ａにベッド１の長さ方向に沿って移動可能なように、滑り対偶で連結されている。さらに、アーム１６は、一端及び他端の間で、基枠９にピン１８で連結されている。
【００３０】
以上のように構成された上半身側フレーム４は、駆動手段１１のロッド１５を縮めることで、図１及び図２のように、ベッド１の寝台面をフラットとする一方、ロッド１５を伸長させることにより、図５に示されるように、ベッド１の上半身側フレーム４を上に持ち上げてベッド１をリクライニング状態に変形させることができる。
【００３１】
特に、この実施形態では、駆動手段１１のロッド１５が伸長すると、図７に示されるように、先ず、第１傾動部１０ａのみが持ち上がる。このような初期リクライニング状態のベッド１は、頭部側に、枕を提供することができる。そして、さらにロッド１５が伸長されると、リンク１２の可動範囲が最大量に到達し、第１傾動部１０ａ及び第２傾動部１０ｂが一体となって、さらに上向きに傾けることができる。なお、ロッド１５の操作は、図示しないリモコン等で行うことができる。
【００３２】
下半身側フレーム５については、詳細は示さないが、好ましくは、上記特許文献１のベッドのように、側面視で山型に折り曲げ可能なリクライニング機構が設けられる。この場合、図２に示されるように、下半身側フレーム５も、基枠３０と、基枠３０上に載置される傾動部３１とを含むことができる。傾動部３１は、上半身側の第３傾動部３１ａと、第３傾動部３１ａに回動自在に連結された第４傾動部３１ｂとを含むことができる。
【００３３】
図１及び図２に示されるように、マット３は、上半身側フレーム４と下半身側フレーム５とに連続して跨るシームレスマット２０を含んでいる。シームレスマット２０は、例えば、ウレタンフォームやポリエチレンフォームなどを使用したスポンジ材により形成されるのが望ましい。
【００３４】
シームレスマット２０は、上半身側フレーム４と下半身側フレーム５との間を分断されることなく連続してのびている。従って、シームレスマット２０は、従来のように、ベッド１の長さ方向の中間部にマットの縁が位置しない。従って、シームレスマット２０は、使用者の腰付近の荷重をマット全体に分散し、使用者に快適な寝心地を提供する。また、シームレスマット２０は、ベッド１の長さ方向の中間部にマットの縁が位置しないので、そこでのへたりが早期に生じるおそれもない。
【００３５】
マット３は、ベッド１の長さ方向の全範囲を形成する一つのシームレスマット２０で構成されても良い。一方、本実施形態のように、リクライニング機構を具えるベッド１の場合、マット３は、シームレスマット２０と、さらに別のマットとを用いることも好ましい。本実施形態では、図６に示されるように、マット３が、シームレスマット２０と、頭部用マット２１とから構成された場合が示されている。この頭部用マット２１も、例えば、ウレタンフォームやポリエチレンフォームなどを使用したスポンジ材により形成されるのが望ましい。
【００３６】
シームレスマット２０と頭部用マット２１との間は、使用者の首付近が位置する。首付近は、寝台面への接触が比較的少ないため、そこでマットが分断されていても、使用者に殆ど違和感を与えることもない。
【００３７】
シームレスマット２０と頭部用マット２１との間には、互いの接触を防ぐための隙間Ｓが設けられているのが望ましい。リクライニング状態の際、シームレスマット２０は、第２傾動部１０ｂの起き上がり等により力を受け、頭部側へ移動しようとする場合がある。このとき、シームレスマット２０と頭部用マット２１との間に隙間Ｓが設けられていないと、両者が接触して突き合い、例えば、シームレスマット２０又は頭部用マット２１が圧迫されて寝台面から隆起し、いびつな形の寝台面が形成されるおそれがある。また、リクライニングを解除した場合でも、このような変形が寝台面に残るおそれもある。隙間Ｓは、このような不具合を解消するのに有効である。
【００３８】
さらに好ましい実施形態では、第１傾動部１０ａは、例えば、第１保持部２３を含んでいる。本実施形態の第１保持部２３は、例えば、略Ｕ字状の柵体に形成され、第１傾動部１０ａの下半身側のフレームから立ち上げられている。第１保持部２３は、頭部用マット２１のシームレスマット２０側への移動を防止することができる。
【００３９】
同様に、第２傾動部１０ｂは、例えば、第２保持部２４を含んでいる。第２保持部２４は、第１保持部２３と同様に、例えば、略Ｕ字状の枠体に形成され、第２傾動部１０ｂの上半身側のフレームから立ち上げられている。第２保持部２４は、シームレスマット２０の頭部用マット２１への移動を防止することができる。
【００４０】
これらの第１保持部２３及び第２保持部２４が設けられることにより、図７に示されるように、シームレスマット２０と頭部用マット２１との間の隙間Ｓが常に維持され、リクライニング状態、折畳み状態、水平状態など、様々な状態にベッド１が変形された場合でも、両マット２０、２１の位置を安定して保持することができる。
【００４１】
本実施形態の頭部用マット２１は、第１傾動部１０ａの上に置かれているのみであり、第１傾動部１０ａと固定はされていない。同様に、シームレスマット２０も、第２傾動部１０ｂ、第３傾動部３１ａ及び第４傾動部３１ｂの上に置かれているだけであり、これらと特に固定はされていない。このため、本実施形態のマット３は、シームレスマット２０及び頭部用マット２１の少なくとも上面を覆うカバー２２を含んでいる。
【００４２】
本実施形態のカバー２２は、例えば、袋状であり、シームレスマット２０を前記第１傾動部１０ａ、第２傾動部１０ｂ、第３傾動部３１ａ及び第４傾動部３１ｂととともに覆うことにより、シームレスマット２０及び頭部用マット２１の位置を、各傾動部上に固定させることができる。カバー２２は、例えば、伸縮素材から形成されるのが望ましい。これにより、ベッド１の水平状態、折畳み状態又はリクライニング状態の変形時等、カバー２２は、マット３の形状に応じて伸縮変形することができる。
【００４３】
ところで、図３に示した折畳み状態では、シームレスマット２０の水平状態に戻ろうとする復元力が生じる。この復元力は、図３に仮想線で示されるように、シームレスマット２０（傾動部を含む）を基枠９及び３０から離れる向きに位置させる。しかしながら、このような状態は、折畳み寸法の大型化を招くおそれがある。
【００４４】
そこで、本実施形態のベッド１は、ベッドフレーム２とシームレスマット２０とが離れるのを防ぐ取り外し可能な固定手段３３がさらに設けられている。
【００４５】
固定手段３３は、例えば、上半身側フレーム４とシームレスマット２０とを固定する第１固定手段３４と、下半身側フレーム５とシームレスマット２０とを固定する第２固定手段３５とを含んでいる。
【００４６】
第１固定手段３４は、例えば、第２傾動部１０ｂのベッド幅方向Ｙの端部かつ下面から垂下する略板状の固定具３６と、この固定具３６に形成された孔部３６ａと、基枠９に形成された孔部３７と、孔部３６ａと孔部３７とに連続して内挿可能なロックピン３８とから構成されている。
【００４７】
第２固定手段３５は、第１固定手段３４と同様に、例えば、固定具３９と、孔部３９ａと、孔部４０と、ロックピン４１とから構成されている。このような固定手段３３によれば、ロックピン３８、４１を抜き差しすることにより、シームレスマット２０をベッドフレーム２に容易に脱着することができる。これにより、固定手段３３は、ベッド１が折畳み状態に変形された際、ベッドフレーム２とシームレスマット２０とが離れるのを防ぎ、ベッド１をよりコンパクトに収納するのに役立つ。
【００４８】
なお、固定手段３３は、例えば、第１固定手段３４の固定具３６が、基枠３０に至る長尺板状に形成されても良い。この固定手段３３では、第２固定手段３５のロックピン４１が、孔部３７、３９ａ及び４０とに連続して内挿される。このような固定手段３３は、ベッドフレーム２とシームレスマット２０とが離れるのを防ぐとともに、ベッドフレーム２を折畳み状態にロックするのにも役立つ。
【００４９】
以上、本考案の特に好ましい実施形態について詳述したが、本考案は図示の実施形態に限定されることなく、種々の態様に変形して実施しうる。
【符号の説明】
【００５０】
１    折畳みベッド
２    ベッドフレーム
４    上半身側フレーム
５    下半身側フレーム
２０    シームレスマット
【図１】
0003191046.tif 000003
【図２】
0003191046.tif 000004
【図３】
0003191046.tif 000005
【図４】
0003191046.tif 000006
【図５】
0003191046.tif 000007
【図６】
0003191046.tif 000008
【図７】
0003191046.tif 000009